(57)【特許請求の範囲】
【請求項１】
排紙される被記録体を載置又除去する画像後処理装置において、排紙される被記録体を載置する排紙トレイと、上記排紙トレイを載置された被記録体を除去する除去位置に移動する排紙トレイ移動手段と、上記排紙トレイ移動手段で除去位置に移動した上記排紙トレイに載置した被記録体を除去方向に給紙する給紙手段と、上記給紙手段が除去方向に給紙する被記録体に形成されたトナー画像の情報の一部又は全部を除去データとして取り込むスキャナと、上記スキャナで取り込んだ被記録体に形成されたトナー画像の情報又はその記号を表示する表示部と、上記表示部で表示されたトナー画像の情報を選択して再形成した被記録体を再排紙するために入力する再排紙選択入力手段とからなることを特徴とする画像後処理装置。
【請求項２】
請求項１に記載の画像後処理装置において、排紙トレイは、排紙トレイ移動手段により、上下方向に昇降移動することを特徴とする画像後処理装置。
【請求項３】
請求項１又は２に記載の画像後処理装置において、排紙トレイは、被記録体の除去方向側の端部に給紙手段が挿入する穴形状の給紙手段挿入穴を備えることを特徴とする画像後処理装置。
【請求項４】
請求項１、２又は３に記載の画像後処理装置において、排紙トレイは、除去位置で給紙手段と当接して載置された被記録体を一枚毎に分離する摩擦パッドを備えることを特徴とする画像後処理装置。
【請求項５】
請求項１、２、３又は４に記載の画像後処理装置において、排紙トレイ移動手段は、ステッピングモータと、上記ステッピングモータで回転駆動する駆動歯車と、上記駆動歯車と従動歯車に張架されて連結された排紙トレイを移動するタイミングベルトとからなることを特徴とする画像後処理装置。
【請求項６】
請求項１、２、３又は４に記載の画像後処理装置において、排紙トレイ移動手段は、ステッピングモータと、上記ステッピングモータで回転駆動する送り螺子と、上記送り螺子と噛み合って連結された排紙トレイを移動するナット部材とからなることを特徴とする画像後処理装置。
【請求項７】
請求項１、２、３、４、５又は６に記載の画像後処理装置において、上記給紙手段が除去方向に給紙する被記録体を収納する除去トレイを、装置本体の内部下方に配置したことを特徴とする画像後処理装置。
【請求項８】
請求項１、２、３、４、５、６又は７に記載の画像後処理装置において、スキャナは、排紙される被記録体に形成された追跡パターンを取り込むことを特徴とする画像後処理装置。
【請求項９】
請求項項８に記載の画像後処理装置において、排紙される被記録体に形成された追跡パターンは、視認困難な程度に微小であることを特徴とする画像後処理装置。
【請求項１０】
請求項１、２、３、４、５、６、７、８又は９に記載の画像後処理装置において、送られてくる被記録体のトナー画像の情報を記憶する記憶装置と、上記記憶装置に記憶された被記録体のトナー画像の情報とスキャナで取り込んだ被記録体のトナー画像の除去情報を比較する比較手段とを備えたことを特徴とする画像後処理装置。
【請求項１１】
電子写真方法でトナー画像を形成する画像形成装置において、被記録体にトナー画像を形成するトナー画像形成手段と、上記トナー画像形成手段から排紙された被記録体を載置又除去する上記請求項１乃至１０の何れか一項に記載の画像後処理装置とからなることを特徴とする画像形成装置。
【請求項１２】
複数の情報処理装置によって構成されるネットワークスステムにおいて、情報を伝達するネットワークは、複数のパーソナルコンピュータ又はワークステーションと、被記録体にトナー画像を形成するトナー画像形成手段と、上記トナー画像形成手段から排紙される被記録体を載置又除去する上記請求項１乃至１０の何れか一項に記載の画像後処理装置とを接続した構成を備えていることを特徴とするネットワークシステム。
【発明の詳細な説明】
【０００１】
【発明の属する技術分野】
本発明は、画像後処理装置及びその画像後処理装置を具備する画像形成装置並びにその画像後処理装置を具備するネットワークシステムに関し、詳しくは、排紙される被記録体を載置又は除去する画像後処理装置と、電子写真方法でトナー画像を形成する複写機、プリンター、ファクシミリ装置あるいはこれらの複合機等の画像後処理装置を具備する画像形成装置、複数の情報処理装置によって構成される画像後処理装置を具備するネットワークスステムに関する。
【０００２】
【従来の技術】
従来の画像後処理装置及びその画像後処理装置を具備する画像形成装置並びにその画像後処理装置を具備するネットワークシステムにおいて、複数のパーソナルコンピュータ、或いは、ワークステーション、複数の情報処理装置等によって構成されているネットワークシステムに接続され、多数のユーザに共有されている画像後処理装置は、同時に多数のユーザによって、画像が形成された被記録体の出力作業が行われるため、出力をした画像が形成された被記録体が出力者が不明なまま放置されるケースが多くある。
そこで、複数の排紙トレイを備えるネットワークプリンタにおいて、複数の排紙トレイに排紙された記録紙の有無を検知する検知手段を設け、その検知手段により記録紙が有ることを検知した場合、記録紙を検知した排紙トレイを使用者に知らせる告知手段を設けて、オペレータが自分の印刷記録した被記録体がどの排紙トレイに有るのか容易に確認することが出来ると共に、被記録体の取り忘れを防ぐことの出来るネットワークプリンタは公知である（特開平６−１９１１２８号等の公報を参照）。
複写機やプリンタ等の画像形成装置から排出され、ステイプルトレイ上で揃えられた記録紙の束をステイプルにより綴じる後処理装置において、ステイプルトレイ上の記録紙を検出する検出手段と、その検出手段が取り忘れの検出タイミングで記録紙を検出した場合に、制御手段により、この記録紙を排紙トレイ上に放出して、ユーザがステイプルトレイ上の記録紙を除去することなくコピー等を行なうことが出来るようにすることも公知である（特開平７−１８７４７８号等の公報を参照）。
【０００３】
画像入出力装置に直接接続されている大容量の補助記憶装置と、スキャナ入力したデータをデータ圧縮する手段と補助記憶装置のユーザ毎に管理されたユーザフォルダに前記データを格納する格納手段と、ユーザフォルダに格納データがある場合、格納操作終了後、ネットワークに接続された指定ユーザのＰＣまたはワークステーションへ格納した格納情報を通知する手段を有するネットワーク対応の画像入出力装置において、格納通知の時間設定手段及びデータアクセスの監視手段と、指定された一定時間内に引き取りがない場合、通知する手段で指定のユーザに通知するようにして、ユーザが画像データの引き取り忘れを防ぐことができ、格納データの格納期限による自動削除ある場合には、自動削除を防ぐことも公知である（特開平１１−１７７７４３号等の公報を参照）。
ネットワークに接続されたプリンタにおいて、印刷ジョブの出力結果を、ユーザ識別子と、ファイル名と、出力時刻とを、ジョブ履歴情報として蓄積する蓄積手段と、ユーザ識別子に対応するメールアドレスを入力する入力手段と、ジョブ履歴情報を各ユーザ毎に抽出し通知メッセージを電子メールとして作成する電子メール作成手段と、この電子メールを入力手段により入力された管理情報を用いて宛先に送信する送信手段とからなり、ジョブ履歴情報をユーザに対して知らせることによりユーザに注意を促し、ユーザが、自分で出力したジョブを確認し、出力した印刷物の取り忘れを防ぐことも公知である（特開２０００−１８７５８２等の公報を参照）。
【０００４】
このような場合には、画像後処理装置に排出された被記録体の告知や確認が行なわれ、除去機能が働き、被記録体は他の場所に放出又は破棄されるのだが、被記録体の出力者が被記録体を出力をしたことを思いだし、取りに行ったときにその被記録体が既に破棄等されて無くなっている場合には、もう一度その被記録体を再度の出力をすれば良いのだが、元のファイルが既にない場合等はもう一度出力するのには、大変な作業となり、そのための記憶装置も大容量化が必要でもあった。
従って、従来の画像後処理装置及びその画像後処理装置を具備する画像形成装置並びにその画像後処理装置を具備するネットワークシステムは、画像後処理装置に排出された被記録体の告知や確認が行なわれ、除去機能が働き、被記録体は他の場所に放出又は破棄されて除去されるのだが、被記録体の出力者が被記録体を出力をしたことを思いだし、取りに行ったときに、その被記録体が既に破棄等されて無くなって除去されている場合には、もう一度、その被記録体を再度の出力をすれば良いのだが、当該ファイルが既に無い場合等には、もう一度、元の大きなファイルから当該ファイルを探し出してから出力するのには、大変な作業となり、そのための記憶装置も大容量化が必要になると言う不具合が生じていた。
【０００５】
【発明が解決しようとする課題】
そこで本発明の課題は、このような問題点を解決するものである。即ち、排出された被記録体が破棄等されて無くなって除去されている場合でも、元の大きなファイルから当該ファイルを探し出すことななく、容易な作業で除去されたトナー画像を再形成した被記録体を再排紙して、そのための記憶装置も少容量化となる画像後処理装置及びその画像後処理装置を具備する画像形成装置並びにその画像後処理装置を具備するネットワークシステムを提供することを目的とする。
【０００６】
【課題を解決するための手段】
上記目的を達成するために、請求項１の本発明は、排紙される被記録体を載置又除去する画像後処理装置において、排紙される被記録体を載置する排紙トレイと、上記排紙トレイを載置された被記録体を除去する除去位置に移動する排紙トレイ移動手段と、上記排紙トレイ移動手段で除去位置に移動した上記排紙トレイに載置した被記録体を除去方向に給紙する給紙手段と、上記給紙手段が除去方向に給紙する被記録体に形成されたトナー画像の情報の一部又は全部を除去データとして取り込むスキャナと、上記スキャナで取り込んだ被記録体に形成されたトナー画像の情報又はその記号を表示する表示部と、上記表示部で表示されたトナー画像の情報を選択して再形成した被記録体を再排紙するために入力する再排紙選択入力手段とからなる画像後処理装置であることを最も主要な特徴とする。
請求項２の本発明は、請求項１に記載の画像後処理装置において、排紙トレイは、排紙トレイ移動手段により、上下方向に昇降移動する画像後処理装置であることを主要な特徴とする。
請求項３の本発明は、請求項１又は２に記載の画像後処理装置において、排紙トレイは、被記録体の除去方向側の端部に給紙手段が挿入する穴形状の給紙手段挿入穴を備える画像後処理装置であることを主要な特徴とする。
請求項４の本発明は、請求項１、２又は３に記載の画像後処理装置において、排紙トレイは、除去位置で給紙手段と当接して載置された被記録体を一枚毎に分離する摩擦パッドを備える画像後処理装置であることを主要な特徴とする。
請求項５の本発明は、請求項１、２、３又は４に記載の画像後処理装置において、排紙トレイ移動手段は、ステッピングモータと、上記ステッピングモータで回転駆動する駆動歯車と、上記駆動歯車と従動歯車に張架されて連結された排紙トレイを移動するタイミングベルトとからなる画像後処理装置であることを主要な特徴とする。
請求項６の本発明は、請求項１、２、３又は４に記載の画像後処理装置において、排紙トレイ移動手段は、ステッピングモータと、上記ステッピングモータで回転駆動する送り螺子と、上記送り螺子と噛み合って連結された排紙トレイを移動するナット部材とからなる画像後処理装置であることを主要な特徴とする。
【０００７】
請求項７の本発明は、請求項１、２、３、４、５又は６に記載の画像後処理装置において、上記給紙手段が除去方向に給紙する被記録体を収納する除去トレイは、装置本体の内部下方に配置した画像後処理装置であることを主要な特徴とする。
請求項８の本発明は、請求項１、２、３、４、５、６又は７に記載の画像後処理装置において、スキャナは、排紙される被記録体に形成された追跡パターンを取り込む画像後処理装置であることを主要な特徴とする。
請求項９の本発明は、請求項項８に記載の画像後処理装置において、排紙される被記録体に形成された追跡パターンは、通常は見た目には判別が困難なほど微小である画像後処理装置であることを主要な特徴とする。
請求項１０の本発明は、請求項１、２、３、４、５、６、７、８又は９に記載の画像後処理装置において、送られてくる被記録体のトナー画像の情報を記憶する記憶装置と、上記記憶装置に記憶された被記録体のトナー画像の情報とスキャナで取り込んだ被記録体のトナー画像の除去情報を比較する比較手段とを備える画像後処理装置であることを主要な特徴とする。
請求項１１の本発明は、電子写真方法でトナー画像を形成する画像形成装置において、被記録体にトナー画像を形成するトナー画像形成手段と、上記トナー画像形成手段から排紙された被記録体を載置又除去する上記請求項１乃至１０の何れか一項に記載の画像後処理装置とからなる画像形成装置であることを最も主要な特徴とする。
請求項１２の本発明は、複数の情報処理装置によって構成されるネットワークスステムにおいて、情報を伝達するネットワークは、複数のパーソナルコンピュータ又はワークステーションと、被記録体にトナー画像を形成するトナー画像形成手段と、上記トナー画像形成手段から排紙される被記録体を載置又除去する上記請求項１乃至１０の何れか一項に記載の画像後処理装置とを接続した構成を備えているネットワークシステムであることを最も主要な特徴とする。
【０００８】
【作用】
上記のように構成された画像後処理装置及びその画像後処理装置を具備する画像形成装置並びにその画像後処理装置を具備するネットワークシステムは、請求項１においては、排紙される被記録体を載置する排紙トレイを、載置された被記録体を除去する除去位置に排紙トレイ移動手段で移動して、上記排紙トレイに載置した被記録体を除去方向に給紙する給紙手段が除去方向に給紙する被記録体に形成されたトナー画像の情報の一部又は全部を除去データとしてスキャナで取り込み、スキャナで取り込んだ被記録体に形成されたトナー画像の情報又はその記号を表示する表示部で表示されたトナー画像の情報を、再排紙選択入力手段選択で選択して入力することによって、除去したトナー画像の情報を再形成した被記録体を再排紙する。
請求項２においては、排紙される被記録体を載置する排紙トレイを、載置された被記録体を除去する除去位置に排紙トレイ移動手段で移動して、上記排紙トレイに載置した被記録体を除去方向に給紙する給紙手段が除去方向に給紙する被記録体に形成されたトナー画像の情報の一部又は全部を除去データとしてスキャナで取り込み、スキャナで取り込んだ被記録体に形成されたトナー画像情報又はその記号を表示する表示部で表示されたトナー画像の情報を、再排紙選択入力手段選択で選択して入力すると共に排紙トレイは排紙トレイ移動手段により上下方向に昇降移動することによって、除去したトナー画像情報を再形成した被記録体を再排紙する。
請求項３においては、排紙される被記録体を載置する排紙トレイを、載置された被記録体を除去する除去位置に排紙トレイ移動手段で移動して、上記排紙トレイに載置した被記録体を除去方向に給紙する給紙手段が除去方向に給紙する被記録体に形成されたトナー画像の情報の一部又は全部を除去データとしてスキャナで取り込み、スキャナで取り込んだ被記録体に形成されたトナー画像情報又はその記号を表示する表示部で表示されたトナー画像の情報を、再排紙選択入力手段選択で選択して入力すると共に排紙トレイは被記録体の除去方向側の端部の穴形状の給紙手段挿入穴に給紙手段が挿入することによって、除去したトナー画像情報を再形成した被記録体を再排紙する。
【０００９】
請求項４においては、排紙される被記録体を載置する排紙トレイを、載置された被記録体を除去する除去位置に排紙トレイ移動手段で移動して、上記排紙トレイに載置した被記録体を除去方向に給紙する給紙手段が除去方向に給紙する被記録体に形成されたトナー画像の情報の一部又は全部を除去データとしてスキャナで取り込み、スキャナで取り込んだ被記録体に形成されたトナー画像情報又はその記号を表示する表示部で表示されたトナー画像の情報を、再排紙選択入力手段選択で選択して入力すると共に排紙トレイは除去位置で給紙手段と当接して載置された被記録体を摩擦パッドで一枚毎に分離することによって、除去したトナー画像情報を再形成した被記録体を再排紙する。
請求項５においては、排紙される被記録体を載置する排紙トレイを、載置された被記録体を除去する除去位置に排紙トレイ移動手段で移動して、上記排紙トレイに載置した被記録体を除去方向に給紙する給紙手段が除去方向に給紙する被記録体に形成されたトナー画像の情報の一部又は全部を除去データとしてスキャナで取り込み、スキャナで取り込んだ被記録体に形成されたトナー画像情報又はその記号を表示する表示部で表示されたトナー画像の情報を、再排紙選択入力手段選択で選択して入力すると共に排紙トレイ移動手段はステッピングモータで回転駆動する駆動歯車と従動歯車に張架されたタイミングベルトに連結された排紙トレイを移動することによって、除去したトナー画像情報を再形成した被記録体を再排紙する。
【００１０】
請求項６においては、排紙される被記録体を載置する排紙トレイを、載置された被記録体を除去する除去位置に排紙トレイ移動手段で移動して、上記排紙トレイに載置した被記録体を除去方向に給紙する給紙手段が除去方向に給紙する被記録体に形成されたトナー画像の情報の一部又は全部を除去データとしてスキャナで取り込み、スキャナで取り込んだ被記録体に形成されたトナー画像情報又はその記号を表示する表示部で表示されたトナー画像の情報を、再排紙選択入力手段選択で選択して入力すると共に排紙トレイ移動手段はステッピングモータで回転駆動する送り螺子と噛み合うナット部材に連結された排紙トレイを移動することによって、除去したトナー画像情報を再形成した被記録体を再排紙する。
請求項７においては、排紙される被記録体を載置する排紙トレイを、載置された被記録体を除去する除去位置に排紙トレイ移動手段で移動して、上記排紙トレイに載置した被記録体を除去方向に給紙する給紙手段が除去方向に給紙する被記録体に形成されたトナー画像の情報の一部又は全部を除去データとしてスキャナで取り込み、スキャナで取り込んだ被記録体に形成されたトナー画像情報又はその記号を表示する表示部で表示されたトナー画像の情報を、再排紙選択入力手段選択で選択して入力すると共に給紙手段が除去方向に給紙する被記録体を収納する除去トレイは装置本体の内部下方に配置することによって、除去したトナー画像情報を再形成した被記録体を再排紙する。
請求項８においては、排紙される被記録体を載置する排紙トレイを、載置された被記録体を除去する除去位置に排紙トレイ移動手段で移動して、上記排紙トレイに載置した被記録体を除去方向に給紙する給紙手段が除去方向に給紙する被記録体に形成されたトナー画像の情報の一部又は全部を除去データとしてスキャナで取り込み、スキャナで取り込んだ被記録体に形成されたトナー画像情報又はその記号を表示する表示部で表示されたトナー画像の情報を、再排紙選択入力手段選択で選択して入力すると共にスキャナは排紙される被記録体に形成された追跡パターンを取り込むことによって、除去したトナー画像情報を再形成した被記録体を再排紙する。
請求項９においては、排紙される被記録体を載置する排紙トレイを、載置された被記録体を除去する除去位置に排紙トレイ移動手段で移動して、上記排紙トレイに載置した被記録体を除去方向に給紙する給紙手段が除去方向に給紙する被記録体に形成されたトナー画像の情報の一部又は全部を除去データとしてスキャナで取り込み、スキャナで取り込んだ被記録体に形成されたトナー画像情報又はその記号を表示する表示部で表示されたトナー画像の情報を、再排紙選択入力手段選択で選択して入力すると共にスキャナは排紙される被記録体に形成された通常は見た目には判別が困難なほど微小である追跡パターンを取り込むことによって、除去したトナー画像情報を再形成した被記録体を再排紙する。
【００１１】
請求項１０においては、排紙される被記録体を載置する排紙トレイを、載置された被記録体を除去する除去位置に排紙トレイ移動手段で移動して、上記排紙トレイに載置した被記録体を除去方向に給紙する給紙手段が除去方向に給紙する被記録体に形成されたトナー画像の情報の一部又は全部を除去データとしてスキャナで取り込み、スキャナで取り込んだ被記録体に形成されたトナー画像情報又はその記号を表示する表示部で表示されたトナー画像の情報を、再排紙選択入力手段選択で選択して入力すると共に送られてくる被記録体のトナー画像の情報を記憶する記憶装置に記憶された被記録体のトナー画像の情報とスキャナで取り込んだ被記録体のトナー画像の除去情報を比較手段で比較することによって、除去したトナー画像情報を再形成した被記録体を再排紙する。
請求項１１においては、被記録体にトナー画像を形成するトナー画像形成手段から排紙された被記録体を請求項１乃至１０の何れか一項に記載の画像後処理装置に載置又除去するとことによって、除去したトナー画像情報を再形成した被記録体を再排紙する。
請求項１２においては、情報を伝達するネットワークは複数のパーソナルコンピュータ又はワークステーションと被記録体にトナー画像を形成するトナー画像形成手段から排紙される被記録体を載置又除去する請求項１乃至１０の何れか一項に記載の画像後処理装置とを接続する。
【００１２】
【発明の実施の形態】
次に、本発明の実施の形態を図面を参照して詳細に説明する。
図１は本発明の一実施形態に係る画像後処理装置の概略構成を示す断面図である。図１において、排紙される被記録体を載置又は除去する画像後処理装置０は、隣設したトナー画像形成手段２１から搬送されて、図示の矢印（Ａ）方向に排紙される被記録体（Ｐ）の記録用紙を載置する排紙トレイ１と、上記排紙トレイ１を載置された被記録体（Ｐ）の記録用紙を除去する除去口０ｂの有る除去位置に制御手段１２により駆動して移動する排紙トレイ移動手段２のステッピングモータ２ａと、上記排紙トレイ移動手段２の上記ステッピングモータ２で上記除去口０ｂの有る除去位置に駆動して移動した上記排紙トレイ１に載置した被記録体（Ｐ）の記録用紙を図示の矢印（Ｂ）の除去方向に上記制御手段１２により駆動して給紙する給紙手段３のゴム部材からなる給紙コロ３ａと、上記給紙手段３のゴム部材からなる上記給紙コロ３ａが図示の矢印（Ｂ）の除去方向に給紙する被記録体（Ｐ）の記録用紙に形成されたトナー画像情報の一部又は全部を上記制御手段１２により取り込むスキャナ４と、上記スキャナ４で取り込んだ被記録体（Ｐ）の記録用紙に形成されたトナー画像情報又はその記号を上記制御手段１２により表示する操作盤１１に配置された表示部５と、上記表示部５で表示されたトナー画像の除去データを選択して再形成した被記録体（Ｐ）の記録用紙を再排紙するために上記制御手段１２により入力する上記操作盤１１に配置された再排紙選択入力手段６とからなり、排出された被記録体（Ｐ）の記録用紙が破棄等されて無くなって除去されている場合でも、元の大きなファイルから当該ファイルを探し出すことななく、上記スキャナ４で被記録体（Ｐ）の記録用紙に形成されたトナー画像情報又はその記号を記憶装置７に「除去データ」として取り込んでおくことにより、上記記憶装置７内の「除去データ」の「イメージデータ」を出力する容易な作業で除去されたトナー画像を再形成した被記録体（Ｐ）の記録用紙を再排紙して、そのための記憶装置も少容量化となる。
【００１３】
上記排紙トレイ１は、上記排紙トレイ移動手段２により、図示の矢印（Ｃ）方向の上下方向に案内部材１ｃに案内されて昇降移動して、上記トナー画像形成手段２１から搬送されて、図示の矢印（Ａ）方向に排紙される被記録体（Ｐ）の記録用紙を載置する位置から、上記排紙トレイ１に被記録体（Ｐ）の記録用紙が載置されて一定時間経過後に上記制御手段１２により、上記除去口０ｂの有る除去位置に移動して停止するようになっているから、簡単な構造で被記録体（Ｐ）の記録用紙を載置する位置から上記除去口０ｂの有る除去位置への移動が自動的に行なわれるようになっている。
上記排紙トレイ移動手段２は、上記ステッピングモータ２ａと、上記ステッピングモータ２ａで回転駆動する駆動歯車２ｂと、上記駆動歯車２ｂと従動歯車２ｃに張架されて連結された上記排紙トレイ１をタイミングベルト２ｄで、被記録体（Ｐ）の記録用紙を載置する位置から上記除去口０ｂの有る除去位置への移動が、又は、上記除去口０ｂの有る除去位置から被記録体（Ｐ）の記録用紙を載置する位置への移動が、自動的に確実に行なわれるようになっている。
上記排紙トレイ１に載置された被記録体（Ｐ）の記録用紙は、被記録体（Ｐ）の記録用紙の除去方向側の端部にあけられた穴の給紙手段挿入穴１ａから挿入された上記給紙手段３のゴム部材からなる上記給紙コロ３ａと当接する摩擦パッド１ｂにより、上記除去口０ｂから除去位置への移動が阻止されているが、除去作業の開始時には、上記制御手段１２により、上記給紙手段３のゴム部材からなる上記給紙コロ３ａが図示の矢印（Ｄ）方向に回動することにより、載置された最下位の被記録体（Ｐ）の記録用紙は図示の矢印（Ｂ）の除去方向に給紙されるが、上記摩擦パッド１ｂと載置された最下位から２枚目の被記録体（Ｐ）の記録用紙との間の摩擦力が、載置された最下位の被記録体（Ｐ）の記録用紙と２枚目との間の摩擦力よりも大にしてあるから、上記排紙トレイ１に排紙されて載置された被記録体（Ｐ）の記録用紙は、摩擦力により最下位から一枚毎に順次に確実に分離されて、上記給紙手段３のゴム部材からなる上記給紙コロ３ａの摩擦力により上記除去口０ｂから除去位置へ自動的に給紙されて除去されるようになっている。
【００１４】
上記給紙手段３のゴム部材からなる上記給紙コロ３ａが除去方向に給紙する被記録体（Ｐ）の記録用紙を収納する除去トレイ１０は、比較的に空間に余裕のある装置本体０ａの内部下方に配置されているので、設計的余裕があり比較的に小型になる。
送られてくる被記録体（Ｐ）の記録用紙のトナー画像の情報を記憶する上記記憶装置７と、上記記憶装置７に記憶された被記録体（Ｐ）の記録用紙のトナー画像の情報と上記スキャナ４で取り込んだ被記録体（Ｐ）の記録用紙のトナー画像の除去データを比較手段８で比較し、除去された被記録体（Ｐ）の記録用紙のトナー画像の除去データは上記記憶装置７に除去データとして残されていることにより、排紙された被記録体（Ｐ）の記録用紙の全く同じトナー画像を再形成して再排紙することも出来る。
上記スキャナ４で、除去される被記録体（Ｐ）の記録用紙のトナー画像の「イメージデータ」の全てを「除去データ」として取り込んで、上記記憶装置７内に送られてくる被記録体（Ｐ）の記録用紙のトナー画像の情報と比較すると、非常に大容量の多くのメモリーを必要とする場合には、被記録体（Ｐ）の記録用紙が排紙される際には、見た目には判別が困難なほど微小である、上記スキャナ４で読取れる追跡パターン９が形成されるようになっているから、除去される被記録体（Ｐ）の記録用紙のトナー画像が、容易でスムーズで不快感の無い作業で、どのファイルのものか簡単に認識することが出来るようになって、除去されたトナー画像を再形成した被記録体（Ｐ）の記録用紙を再排紙して、そのための記憶装置も、更に、少容量化となる。
【００１５】
図２は他の実施形態の構成を示す断面図であり、同図において、上記排紙トレイ移動手段２は、又は、上記ステッピングモータ２ａと、上記ステッピングモータ２ａで回転駆動する送り螺子２ｅと、上記送り螺子２ｅと噛み合って連結された上記排紙トレイ１をナット部材２ｆで上記案内部材１ｃに案内されて移動することにより、被記録体（Ｐ）の記録用紙を載置する位置から上記除去口０ｂの有る除去位置への移動が、又は、上記除去口０ｂの有る除去位置から被記録体（Ｐ）の記録用紙を載置する位置への移動が、自動的に簡単な構造で確実に行なわれるようになっている。
【００１６】
図３乃至図８において、複数のパーソナルコンピュータ３２あるいはワークステーション３３と、上記トナー画像形成手段２１と上記画像後処理装置０を具備する画像形成装置２０等によってネットワーク３１に接続して構成されているネットワークシステム３０は、多数のユーザに共有され、上記排紙トレイ１上に被記録体（Ｐ）の記録用紙が載置され放置されてセンサ１３で検知した場合、その被記録体（Ｐ）の記録用紙を不要な記録用紙と判断し、自動的に上記除去トレイ１０へ移動させさせる機能を有する上記画像後処理装置０において、被記録体（Ｐ）の記録用紙が上記排紙トレイ１に載置されてから、一定時間が経過した時点で、上記排紙トレイ１上に被記録体（Ｐ）の記録用紙が残っている場合には、その被記録体（Ｐ）の記録用紙を放置されていると判断し、上記制御手段１２によって、不要被記録体（Ｐ）の記録用紙を除去する。
不要被記録体（Ｐ）の記録用紙の除去方法は、上記制御手段１２により、次のように、上記排紙トレイ１は、上記排紙トレイ移動手段２により、上下方向に昇降移動して、上記トナー画像形成手段２１から搬送されて、排紙される被記録体（Ｐ）の記録用紙を載置する位置から、上記排紙トレイ１に被記録体（Ｐ）の記録用紙が載置されて一定時間経過後に上記除去口０ｂの有る除去位置に移動して停止させ、上記排紙トレイ１上に放置された不要被記録体（Ｐ）の記録用紙を上記給紙手段３の上記駆動モータ３ｂで回動駆動される上記給紙ローラ３ａにより順次下から１枚ずつ分離されて給紙され、上記スキャナ４で読み取りの取り込みが行なわれ、上記記憶装置７に「除去データ」の「イメージデータ」で保存される（図４を参照）。
【００１７】
上記トナー画像形成手段２１で被記録体（Ｐ）の記録用紙に形成されるトナー画像のデータインが有るかを判断して（ステップ１）、データインが無ければ最初に戻るが、データインが有れば、上記トナー画像形成手段２１で被記録体（Ｐ）の記録用紙にトナー画像の形成を開始して（ステップ２）、上記トナー画像形成手段２１で被記録体（Ｐ）の記録用紙にトナー画像の形成を終了して（ステップ３）、上記センサ１３により上記排紙トレイ１上に載置された被記録体（Ｐ）の記録用紙が有るかを判断して（ステップ４）、上記排紙トレイ１上に載置された被記録体（Ｐ）の記録用紙が無ければ終了するが、上記センサ１３により上記排紙トレイ１上に被記録体（Ｐ）の記録用紙が有れば一定時間経過して載置されたかどうかを判断して（ステップ５）、上記センサ１３により上記排紙トレイ１上に被記録体（Ｐ）の記録用紙が一定時間経過して載置されていなかったら新規データインがあるかどうか判断して（ステップ６）、新規データインが無ければ（ステップ４）に戻り、新規データインが有れば経過時間をリセットして（ステップ７）から（ステップ２）に戻り、上記センサ１３により上記排紙トレイ１上に被記録体（Ｐ）の記録用紙が一定時間経過して載置されていれば、上記排紙トレイ移動手段２の上記ステッピングモータ２ａを回動駆動して、上記排紙トレイ１は上記除去口０ｂの有る除去位置に移動して停止させてから、上記給紙手段３の上記駆動モータ３ｂで回動駆動される上記給紙ローラ３ａにより、上記排紙トレイ１上に載置された被記録体（Ｐ）の記録用紙を順次下から１枚ずつ分離されて給紙される除去作業が開始され（ステップ８）、上記スキャナ４で「除去データ」の読み取りの取り込みが行なわれ（ステップ９）、上記スキャナ４で「除去データ」の読み取りの取り込みが行なわれた「イメージデータ」の上記記憶装置７への保存が行なわれ（ステップ１０）、上記センサ１３により上記排紙トレイ１上に載置された被記録体（Ｐ）の記録用紙が有るかを判断して（ステップ１１）、上記センサ１３により上記排紙トレイ１上に載置された被記録体（Ｐ）の記録用紙が有れば（ステップ８）に戻るが、上記センサ１３により上記排紙トレイ１上に載置された被記録体（Ｐ）の記録用紙が無ければ終了する。
尚、上記給紙手段３は、不要被記録体（Ｐ）の記録用紙を１枚ずつ分離し、上記スキャナ４に供給する機構としては、一般的なＡＤＦ装置等の機構を持って構成可能である。
【００１８】
上記スキャナ４で取り込んだ被記録体（Ｐ）の記録用紙に形成されたトナー画像情報又はその記号の「除去データ」として上記記憶装置７に保存された「イメージデータ」は、上記制御手段１２により表示する上記操作盤１１に配置された上記表示部５で表示されたトナー画像情報を選択して再形成した被記録体（Ｐ）の記録用紙を再排紙するために、上記制御手段１２により入力する上記操作盤１１に配置された上記再排紙選択入力手段６のユーザの操作によって再び出力することが可能であり、記録命令を行ったユーザが不要被記録体（Ｐ）の記録用紙を取りに来たときに、既に、除去されていた場合には、この方法を利用して出力を行うことが出来る（図５を参照）。
上記再排紙選択入力手段６により、「除去データ」として上記記憶装置７に保存された「イメージデータ」の上記表示部５で表示されたトナー画像情報を選択して再形成した被記録体（Ｐ）の記録用紙を再排紙する「除去データ」として上記記憶装置７に保存された「イメージデータ」を選択して（ステップ２０）、上記トナー画像形成手段２１により選択された上記表示部５で表示されたトナー画像情報を選択して再形成した被記録体（Ｐ）の記録用紙を再排紙する「除去データ」として上記記憶装置７に保存された「イメージデータ」のトナー画像を被記録体（Ｐ）の記録用紙に再形成したその被記録体（Ｐ）の記録用紙を再排紙して（ステップ２１）、トナー画像を被記録体（Ｐ）の記録用紙に再形成したその被記録体（Ｐ）の記録用紙を再排紙した「除去データ」として上記記憶装置７に保存された「イメージデータ」を消去して（ステップ２２）、終了する。
又は、複数の上記パーソナルコンピュータ３２あるいは上記ワークステーション３３と、上記トナー画像形成手段２１と上記画像後処理装置０を具備する上記画像形成装置２０等によって上記ネットワーク３１に接続して構成されている上記ネットワークシステム３０は、多数のユーザに共有され、上記排紙トレイ１上に被記録体（Ｐ）の記録用紙が載置され放置されて上記センサ１３で検知した場合、その被記録体（Ｐ）の記録用紙を不要な記録用紙と判断し、自動的に上記除去トレイ１０へ移動させさせる機能を有する上記画像後処理装置０において、被記録体（Ｐ）の記録用紙が上記排紙トレイ１に載置されてから、一定時間が経過した時点で、上記排紙トレイ１上に被記録体（Ｐ）の記録用紙が残っている場合には、その被記録体（Ｐ）の記録用紙は放置されているものと判断し、上記制御手段１２によって、不要被記録体（Ｐ）の記録用紙を除去する。
【００１９】
不要被記録体（Ｐ）の記録用紙の除去方法は、上記制御手段１２により、次のように、ユーザから被記録体（Ｐ）の記録用紙へのトナー画像を形成する記録命令がなされた時には、ホストから送られてきた被記録体（Ｐ）の記録用紙へのトナー画像の情報を上記記憶装置７に「一時保存データ」として記憶させておく。
その後、被記録体（Ｐ）の記録用紙へのトナー画像の形成の記録作業が終了して、被記録体（Ｐ）の記録用紙が上記排紙トレイ１に載置されてから、一定時間が経過した時点で、上記排紙トレイ１上に被記録体（Ｐ）の記録用紙が残っている場合には、その被記録体（Ｐ）の記録用紙を放置されていると判断し、上記制御手段１２によって、不要被記録体（Ｐ）の記録用紙を除去する。
不要被記録体（Ｐ）の記録用紙の除去方法は、上記制御手段１２により、次のように、除去作業の過程において、上記スキャナ４で読み取りの取り込みが行なわれ、上記記憶装置７内の「一時保存データ」と上記比較手段８で比較して、どのファイルの被記録体（Ｐ）の記録用紙に形成されるトナー画像の情報なのかを判別し、一致した「一時保存データ」は「除去データ」として上記記憶装置７に保存され、上記スキャナ４によって読み取りの取り込みが行なわれなかった「一時保存データ」は上記記憶装置７から消去され、そして、被記録体（Ｐ）の記録用紙へのトナー画像の形成の記録作業が終了して、上記センサ１３により、被記録体（Ｐ）の記録用紙が上記排紙トレイ１に載置されて残されていないことを検出した際には、一致しなかった「一時保存データ」は上記記憶装置７から全て消去される（図６参照）。
【００２０】
上記トナー画像形成手段２１で被記録体（Ｐ）の記録用紙に形成されるトナー画像のデータインが有るかを判断して（ステップ３０）、データインが無ければ最初に戻るが、データインが有れば、ユーザから被記録体（Ｐ）の記録用紙へのトナー画像を形成する記録命令がなされた時には、ホストから送られてきた被記録体（Ｐ）の記録用紙へのトナー画像の情報を上記記憶装置７に「一時保存データ」として１時保存して（ステップ３１）、上記トナー画像形成手段２１で被記録体（Ｐ）の記録用紙にトナー画像の形成を開始して（ステップ３２）、上記トナー画像形成手段２１で被記録体（Ｐ）の記録用紙にトナー画像の形成を終了して（ステップ３３）、上記センサ１３により上記排紙トレイ１上に載置された被記録体（Ｐ）の記録用紙が有るかを判断して（ステップ３４）、上記排紙トレイ１上に載置された被記録体（Ｐ）の記録用紙が無ければ（ステップ４３）へ、上記センサ１３により上記排紙トレイ１上に被記録体（Ｐ）の記録用紙が有れば一定時間経過して載置されたかどうかを判断して（ステップ３５）、上記センサ１３により上記排紙トレイ１上に被記録体（Ｐ）の記録用紙が一定時間経過して載置されていなかったら新規データインがあるかどうか判断して（ステップ３６）、新規データインが無ければ（ステップ３４）に戻り、新規データインが有れば経過時間をリセットして（ステップ３７）から（ステップ３１）に戻り、上記センサ１３により上記排紙トレイ１上に被記録体（Ｐ）の記録用紙が一定時間経過して載置されていれば、上記排紙トレイ移動手段２の上記ステッピングモータ２ａを回動駆動して、上記排紙トレイ１は上記除去口０ｂの有る除去位置に移動して停止させてから、上記給紙手段３の上記駆動モータ３ｂで回動駆動される上記給紙ローラ３ａにより、上記排紙トレイ１上に載置された被記録体（Ｐ）の記録用紙を順次下から１枚ずつ分離されて給紙される除去作業が開始され（ステップ３８）、上記スキャナ４で「除去データ」の読み取りの取り込みが行なわれ（ステップ３９）、除去作業の過程において、上記スキャナ４で読み取りの取り込みが行なわれた「除去データ」と上記記憶装置７内の「一時保存データ」を上記比較手段８で比較して（ステップ４０）、上記スキャナ４で読み取りの取り込みが行なわれた「除去データ」はどのファイルの被記録体（Ｐ）の記録用紙に形成されるトナー画像の情報なのかを判別し、一致した上記記憶装置７内の「一時保存データ」は「除去データ」として上記記憶装置７に保存して（ステップ４１）、上記センサ１３により上記排紙トレイ１上に載置された被記録体（Ｐ）の記録用紙が有るかを判断して（ステップ４２）、上記センサ１３により上記排紙トレイ１上に載置された被記録体（Ｐ）の記録用紙が有れば（ステップ３８）に戻るが、上記センサ１３により上記排紙トレイ１上に載置された被記録体（Ｐ）の記録用紙が無ければ、上記記憶装置７から一致しなかった「一時保存データ」は全て消去されて（ステップ４３）、終了する。
【００２１】
上記スキャナ４で取り込んだ被記録体（Ｐ）の記録用紙に形成されたトナー画像情報又はその記号の「除去データ」として上記記憶装置７に保存された「イメージデータ」は、上記制御手段１２により表示する上記操作盤１１に配置された上記表示部５で表示されたトナー画像情報を選択して再形成した被記録体（Ｐ）の記録用紙を再排紙するために、上記制御手段１２により入力する上記操作盤１１に配置された上記再排紙選択入力手段６のユーザの操作によって再び出力することが可能であり、記録命令を行ったユーザが不要被記録体（Ｐ）の記録用紙を取りに来たときに、既に、除去されていた場合には、この方法を利用して出力を行うことが出来、出力後、通常の行程に戻り、上記記憶装置７に「除去データ」として保存された被記録体（Ｐ）の記録用紙に形成されたトナー画像情報は消去する（図７を参照）。
上記再排紙選択入力手段６により、「除去データ」として上記記憶装置７に保存された「イメージデータ」の上記表示部５で表示されたトナー画像情報を選択して再形成した被記録体（Ｐ）の記録用紙を再排紙する「除去データ」として上記記憶装置７に保存された「イメージデータ」を選択して（ステップ４５）、上記トナー画像形成手段２１により選択された上記表示部５で表示されたトナー画像情報を選択して再形成した被記録体（Ｐ）の記録用紙を再排紙する「除去データ」として上記記憶装置７に保存された「イメージデータ」のトナー画像を被記録体（Ｐ）の記録用紙に再形成したその被記録体（Ｐ）の記録用紙を再排紙して（ステップ４６）、上記記憶装置７に保存された「イメージデータ」のトナー画像を被記録体（Ｐ）の記録用紙に再形成したその被記録体（Ｐ）の記録用紙を再排紙した際は被記録体（Ｐ）の記録用紙に形成されたトナー画像情報又はその記号を通常に記録した時と同じように「一時保存データ」として保存して通常の行程に戻り（ステップ４７）、トナー画像を被記録体（Ｐ）の記録用紙に再形成したその被記録体（Ｐ）の記録用紙を再排紙した「除去データ」として上記記憶装置７に保存された「イメージデータ」を消去して（ステップ４８）、終了する。
又は、複数の上記パーソナルコンピュータ３２あるいは上記ワークステーション３３と、上記トナー画像形成手段２１と上記画像後処理装置０を具備する上記画像形成装置２０等によって上記ネットワーク３１に接続して構成されている上記ネットワークシステム３０は、多数のユーザに共有され、上記排紙トレイ１上に被記録体（Ｐ）の記録用紙が載置され放置されて上記センサ１３で検知した場合、その被記録体（Ｐ）の記録用紙を不要な記録用紙と判断し、自動的に上記除去トレイ１０へ移動させさせる機能を有する上記画像後処理装置０において、被記録体（Ｐ）の記録用紙が上記排紙トレイ１に載置されてから、一定時間が経過した時点で、上記排紙トレイ１上に被記録体（Ｐ）の記録用紙が残っている場合には、その被記録体（Ｐ）の記録用紙を放置されていると判断し、上記制御手段１２によって、不要被記録体（Ｐ）の記録用紙を除去する。
【００２２】
不要被記録体（Ｐ）の記録用紙の除去方法は、上記制御手段１２により、次のように、上記スキャナ４で読み取りの取り込みが行なわれ、上記記憶装置７内の「一時保存データ」を上記比較手段８と比較するのでは無く、被記録体（Ｐ）の記録用紙にトナー画像を形成した記録物を上記排紙トレイ１に上に排紙して出力する際に、その記録物に固有の上記追跡パターン９を通常は見た目には判別が困難なほど微小に形成しておき、上記追跡パターン９と被記録体（Ｐ）の記録用紙に形成するトナー画像の情報とを関連付けて、被記録体（Ｐ）の記録用紙に形成するトナー画像の情報を上記記憶装置７に「一時保存データ」として保存しておき、上記センサ１３により上記排紙トレイ１上に被記録体（Ｐ）の記録用紙が一定時間経過した時点で上記排紙トレイ１上に被記録体（Ｐ）の記録用紙が載置されている場合には、被記録体（Ｐ）の記録用紙が放置されていると判断し、自動除去機能が作動し、上記排紙トレイ１に載置された被記録体（Ｐ）の記録用紙は除去され、その除去作業の過程において、上記スキャナ４で「除去データ」の上記追跡パターン９を読み取る取り込みが行なわれ、上記記憶装置７内の「一時保存データ」と上記比較手段８で比較して、どのファイルの被記録体（Ｐ）の記録用紙に形成されるトナー画像の情報なのかを判別して、一致した被記録体（Ｐ）の記録用紙に形成されるトナー画像の情報は「除去データ」として上記記憶装置７に保存され、上記スキャナ４で読み取りの取り込みが行なわれなかった「一時保存データ」は上記記憶装置７から消去され、被記録体（Ｐ）の記録用紙にトナー画像が形成された後に、上記センサ１３により上記排紙トレイ１に被記録体（Ｐ）の記録用紙が残されていないことを検出した際には、上記記憶装置７から「一時保存データ」は全て消去される（図８を参照）。
【００２３】
上記トナー画像形成手段２１で被記録体（Ｐ）の記録用紙に形成されるトナー画像のデータインが有るかを判断して（ステップ５０）、データインが無ければ最初に戻るが、データインが有れば、ユーザから被記録体（Ｐ）の記録用紙へのトナー画像を形成する記録命令がなされた時には、ホストから送られてきた被記録体（Ｐ）の記録用紙へのトナー画像の情報と関連付けられた上記追跡パターン９を上記記憶装置７に「一時保存データ」として保存して（ステップ５１）、上記トナー画像形成手段２１で被記録体（Ｐ）の記録用紙にトナー画像の形成を開始して（ステップ５２）、上記トナー画像形成手段２１で被記録体（Ｐ）の記録用紙にトナー画像の形成を終了して（ステップ５３）、上記センサ１３により上記排紙トレイ１上に載置された被記録体（Ｐ）の記録用紙が有るかを判断して（ステップ５４）、上記排紙トレイ１上に載置された被記録体（Ｐ）の記録用紙が無ければ（ステップ６３）へ、上記センサ１３により上記排紙トレイ１上に被記録体（Ｐ）の記録用紙が有れば一定時間経過して載置されたかどうかを判断して（ステップ５５）、上記センサ１３により上記排紙トレイ１上に被記録体（Ｐ）の記録用紙が一定時間経過して載置されていなかったら新規データインがあるかどうか判断して（ステップ５６）、新規データインが無ければ（ステップ５４）に戻り、新規データインが有れば経過時間をリセットして（ステップ５７）から（ステップ５１）に戻り、上記センサ１３により上記排紙トレイ１上に被記録体（Ｐ）の記録用紙が一定時間経過して載置されていれば、上記排紙トレイ移動手段２の上記ステッピングモータ２ａを回動駆動して、上記排紙トレイ１は上記除去口０ｂの有る除去位置に移動して停止させてから、上記給紙手段３の上記駆動モータ３ｂで回動駆動される上記給紙ローラ３ａにより、上記排紙トレイ１上に載置された被記録体（Ｐ）の記録用紙を順次下から１枚ずつ分離されて給紙される除去作業が開始され（ステップ５８）、上記スキャナ４で「除去データ」の上記追跡パターン９を読み取る取り込みが行なわれ（ステップ５９）、除去作業の過程において、上記スキャナ４で読み取りが行なわれた「除去データ」の上記追跡パターン９と上記記憶装置７内の「一時保存データ」を上記比較手段８で比較して、上記スキャナ４で読み取りが行なわれた「除去データ」の上記追跡パターン９はどのファイルの被記録体（Ｐ）の記録用紙に形成されるトナー画像の情報なのかを特定して（ステップ６０）、特定した上記記憶装置７内の「一時保存データ」は「除去データ」として上記記憶装置７に保存して（ステップ６１）、上記センサ１３により上記排紙トレイ１上に載置された被記録体（Ｐ）の記録用紙が有るかを判断して（ステップ６２）、上記センサ１３により上記排紙トレイ１上に載置された被記録体（Ｐ）の記録用紙が有れば（ステップ５８）に戻るが、上記センサ１３により上記排紙トレイ１上に載置された被記録体（Ｐ）の記録用紙が無ければ、上記記憶装置７から一致しなかった「一時保存データ」は全て消去されて（ステップ６３）、終了する。
【００２４】
上記スキャナ４で取り込んだ被記録体（Ｐ）の記録用紙に形成されたトナー画像情報又はその記号の「除去データ」として上記記憶装置７に保存された「イメージデータ」は、上記制御手段１２により表示する上記操作盤１１に配置された上記表示部５で表示されたトナー画像情報を選択して再形成した被記録体（Ｐ）の記録用紙を再排紙するために、上記制御手段１２により入力する上記操作盤１１に配置された上記再排紙選択入力手段６のユーザの操作によって再び出力することが可能であり、記録命令を行ったユーザが不要被記録体（Ｐ）の記録用紙を取りに来たときに、既に、除去されていた場合には、この方法を利用して出力を行うことが出来、出力後、通常の行程に戻り、上記記憶装置７に「除去データ」として保存された被記録体（Ｐ）の記録用紙に形成されたトナー画像情報は消去する（図９を参照）。
上記再排紙選択入力手段６により、「除去データ」として上記記憶装置７に保存された「イメージデータ」の上記表示部５で表示されたトナー画像情報を選択して再形成した被記録体（Ｐ）の記録用紙を再排紙する「除去データ」として上記記憶装置７に保存された「イメージデータ」を選択して（ステップ６５）、上記トナー画像形成手段２１により選択された上記表示部５で表示されたトナー画像情報を選択して再形成した被記録体（Ｐ）の記録用紙を再排紙する「除去データ」として上記記憶装置７に保存された「イメージデータ」のトナー画像を被記録体（Ｐ）の記録用紙に再形成したその被記録体（Ｐ）の記録用紙を再排紙して（ステップ６６）、上記記憶装置７に保存された「イメージデータ」のトナー画像を被記録体（Ｐ）の記録用紙に再形成したその被記録体（Ｐ）の記録用紙を再排紙した際は被記録体（Ｐ）の記録用紙に形成されたトナー画像情報又はその記号を通常に記録をした時と同じように「一時保存データ」として保存して通常の行程に戻り（ステップ６７）、トナー画像を被記録体（Ｐ）の記録用紙に再形成したその被記録体（Ｐ）の記録用紙を再排紙した「除去データ」として上記記憶装置７に保存された「イメージデータ」を消去して（ステップ６８）、終了する。
【００２５】
図１０において、電子写真方法でトナー画像を形成する上記画像形成装置２０は、被記録体（Ｐ）の転写用紙にトナー画像を形成するトナー画像形成手段２１と、上記トナー画像形成手段２１から排紙された被記録体（Ｐ）のトナー用紙を載置又除去する上記画像後処理装置０とからなり、排紙された被記録体（Ｐ）の記録用紙が破棄等されて無くなって除去されている場合でも、元の大きなファイルから当該ファイルを探し出すことななく、容易な作業で除去されたトナー画像を再形成した被記録体（Ｐ）の記録用紙を再排紙して、そのための記憶装置も少容量化となる。
上記画像形成装置２０における上記トナー画像形成手段２１は、例えば、４個の画像ステーションの記録システムにかかる、４感光体ドラム１パス方式のフルカラー画像形成ユニットであって、被記録体（Ｐ）の記録用紙を載置して図示の矢印（Ｅ）の逆時計方向の搬送方向に回動する搬送ベルト２１ａの回動方向に沿って画像形成用のプロセス手段２１ｂを配置している。
定着器２１ｃと給紙手段２１ｄのレジストローラ対２１ｄ１の間には、上記搬送ベルト２１ａの図示の矢印（Ｅ）の逆時計方向の搬送方向の上流側から順に上記画像形成用のプロセス手段２１ｂとして、第１画像ステーション２１ｂ１に図示の矢印（Ｆ）方向の時計方向に回動する像担持体２１ｅのシアン感光体ドラム２１ｅ１からなる画像の形成プロセスを、第２画像ステーション２１ｅ２に図示の矢印（Ｆ）方向の時計方向に回動する上記像担持体２１ｅであるマゼンタ感光体ドラム２１ｅ２からなる画像の形成プロセスを、第３画像ステーション２１ｂ３に図示の矢印（Ｆ）方向の時計方向に回動する上記像担持体２１ｅのイエロー感光体ドラム２１ｅ３からなる画像の形成プロセスを、第４画像ステーション２１ｂ４に図示の矢印（Ｆ）方向の時計方向に回動する上記像担持体２１ｅのブラック感光体ドラム２１ｅ４からなる画像の形成プロセスを、更に、上記装置本体２０ａに上記定着器２１ｃ等が配置されている。
【００２６】
上記定器２１ｃは、未定着画像である被加熱体のトナー画像を担持した被記録体（Ｐ）の記録用紙を、定着ローラ２１ｃ１と発熱体２１ｃ２を内蔵する搬送ローラ２１ｃ３との間に掛け渡され張架された構成となっている無端状の加熱定着用の加熱定着ベルト２１ｃ４を介して、上記定着ローラ２１ｃ１と加圧ローラ２１ｃ５との定着ニップ（Ｎ）部で加熱加圧して、被記録体（Ｐ）の記録用紙上のトナー画像のトナーを加熱溶融することにより未定着画像を被記録体（Ｐ）の記録用紙に加熱定着させるようになっている。
画像の形成プロセスは、上記第１画像ステーション２１ｂ１に着目すれば、一般の静電記録方式に準じていて、暗中にて上記複数の画像形成領域内に配置された帯電手段２１ｆのシアン帯電器２１ｆ１により一様に帯電された上記像担持体２１ｅの上記シアン感光体ドラム２１ｅ１上に潜像形成手段２１ｇのシアン光書き込みユニット２１ｇ１により所定色の静電潜像を書き込み、この静電潜像を現像手段２１ｈのシアン現像器２１ｈ１により可視像化して、そのシアントナー像を上記複数の画像形成領域４内に配置された転写手段２１ｉのシアン転写器２１ｉ１によって、上記搬送ベルト２１ａで搬送される被記録体（Ｐ）の記録用紙に転写して、転写後の上記像担持体２１ｅの上記シアン感光体ドラム２１ｅ１上に付着する残留トナーは上記複数の画像形成領域内に配置されたクリーニング手段２１ｊのシアンクリーニング手段１ｊ１で除去されて次工程に備えられるようになっている。
【００２７】
次に、上記第２画像ステーション２１ｂ２において、同様に、暗中にて上記複数の画像形成領域内に配置された上記帯電手段２１ｆのマゼンタ帯電器２１ｆ２により一様に帯電された上記像担持体２１ｅの上記マゼンタ感光体ドラム２１ｅ２上に上記潜像形成手段２１ｇのマゼンタ光書き込みユニット２１ｇ２により所定色の静電潜像を書き込み、この静電潜像を上記複数の画像形成領域４内に配置された上記現像手段２１ｈのマゼンタ現像器２１ｈ２により可視像化して、そのマゼンタトナー像を上記複数の画像形成領域４内に配置された上記転写手段２１ｉのマゼンタ転写器２１ｉ２によって、上記搬送ベルト２１ａに載置されて搬送される被記録体（Ｐ）の記録用紙に転写して、転写後の上記像担持体２１ｅの上記マゼンタ感光体ドラム２１ｅ２上に付着する残留トナーは上記複数の画像形成領域４内に配置された上記クリーニング手段２１ｊのマゼンタクリーニング手段２１ｊ２で除去されて次工程に備えられるようになっている。
上記第３画像ステーション２１ｂ３において、同様に、暗中にて上記複数の画像形成領域４内に配置された上記帯電手段２１ｆのイエロー帯電器２１ｆ３により一様に帯電された上記像担持体２１ｅであるイエロー感光体ドラム２１ｅ３上に上記潜像形成手段２１ｇのイエロー光書き込みユニット２１ｇ３により所定色の静電潜像を書き込み、この静電潜像を上記複数の画像形成領域４内に配置された上記現像手段２１ｈのイエロ−現像器２１ｈ３により可視像化して、そのイエロ−トナー像を上記複数の画像形成領域４内に配置された上記転写手段２１ｉのイエロー転写器２１ｈ３によって、上記搬送ベルト２１ａに載置されて搬送される被記録体（Ｐ）の記録用紙に転写して、転写後の上記像担持体２１ｅである上記イエロー感光体ドラム２１ｈ３上に付着する残留トナーは上記複数の画像形成領域４内に配置された上記クリーニング手段２１ｊのイエロークリーニング手段２１ｈ３で除去されて次工程に備えられるようになっている。
【００２８】
上記第４画像ステーション２１ｂ４において、同様に、暗中にて上記複数の画像形成領域４内に配置された上記帯電手段２１ｆのブラック帯電器２１ｆ４により一様に帯電された上記像担持体２１ｅであるブラック感光体ドラム２１ｅ４上に上記潜像形成手段２１ｇのブラック光書き込みユニット２１ｇ４により所定色の静電潜像を書き込み、この静電潜像を上記複数の画像形成領域４内に配置された上記現像手段２１ｈのブラック現像器２１ｈ４により可視像化して、そのブラックトナー像を上記複数の画像形成領域４内に配置された上記転写手段２１ｉのブラック転写器２１ｉ４によって、上記搬送ベルト２１ａに載置されて搬送される被記録体（Ｐ）の記録用紙に転写して、転写後の上記像担持体２１ｅである上記ブラック感光体ドラム２１ｅ４上に付着する残留トナーは上記複数の画像形成領域４内に配置された上記クリーニング手段２１ｊのブラッククリーニング手段２１ｊ４で除去されて次工程に備えられて、順次重ね転写されることにより、フルカラー画像を形成することが出来るようになっている。
【００２９】
最終転写後の、上記搬送ベルト２１ａに載置されて搬送されるフルカラーのトナー画像を載置した被記録体（Ｐ）の記録用紙は、上記搬送ベルト２１ａの最下流側に配置した最下流ローラ２１ａ１により曲率分離され、上記搬送ベルト２１ａから搬送されるトナー像を担持する被記録体（Ｐ）の記録用紙を上記定着器２１ｃに搬送し定着することにより被転写体（Ｐ）の転写紙上にフルカラーの最終画像を得た後に、排紙装置２１ｋにより上記画像後処理装置０内に排出されて搬送されて、上記排紙トレイ１に載置又は除去されて収納されるようになている。
尚、上記トナー画像形成手段２１における上記帯電手段２１ｆや上記転写手段２１ｉや上記クリーニング手段２１ｊ等は、その方式、方法、構成、材料などに特に限定されるものではなく、例えば、クリーニングレスの場合も、上記クリーニング手段２１ｊを削除するだけで、その他の考え方や構成は同様である。
従って、排紙された被記録体（Ｐ）の記録用紙が破棄等されて無くなって除去されている場合でも、元の大きなファイルから当該ファイルを探し出すことなく、容易な作業で除去されたトナー画像を再形成した被記録体（Ｐ）の記録用紙を再排紙して、そのための記憶装置も少容量化となる上記画像形成装置２０を提供することが出来るようになった。
【００３０】
図１１において、複数の情報処理装置によって構成される上記ネットワークシステム３０は、情報を伝達する上記ネットワーク３１には、複数の上記パーソナルコンピュータ３２、又は、上記ワークステーション３３と、被記録体（Ｐ）の記録用紙にトナー画像を形成する上記トナー画像形成手段２１と、上記トナー画像形成手段２１から排紙される被記録体（Ｐ）の記録用紙を載置又除去する上記画像後処理装置０とが接続されているから、排紙された被記録体（Ｐ）の記録用紙が破棄等されて無くなって除去されている場合でも、元の大きなファイルから当該ファイルを探し出すことなく、容易な作業で除去されたトナー画像を再形成した被記録体（Ｐ）の記録用紙を再排紙して、そのための記憶装置も少容量化となる上記ネットワークスステム３０を提供することが出来るようになった。
【００３１】
【発明の効果】
本発明は、以上説明したように構成されているので、請求項１の発明によれば、排出された被記録体が除去手段により破棄等されて無くなって除去されている場合でも、元の大きなファイルから当該ファイルを探し出すことななく、容易な作業で除去されたトナー画像を再形成した被記録体を再排紙して、そのための記憶装置も少容量化となる画像後処理装置を提供することが出来るようになった。
請求項２の発明によれば、簡単な構造で被記録体を載置する位置から除去口の有る除去位置への移動が自動的に行なわれ、排出された被記録体が除去手段により破棄等されて無くなって除去されている場合でも、元の大きなファイルから当該ファイルを探し出すことななく、容易な作業で除去されたトナー画像を再形成した被記録体を再排紙して、そのための記憶装置も少容量化となる画像後処理装置を提供することが出来るようになった。
請求項３の発明によれば、排紙トレイに排紙されて載置された被記録体は最下位から除去位置へ自動的に給紙されて除去され、排出された被記録体が除去手段により破棄等されて無くなって除去されている場合でも、元の大きなファイルから当該ファイルを探し出すことななく、容易な作業で除去されたトナー画像を再形成した被記録体を再排紙して、そのための記憶装置も少容量化となる画像後処理装置を提供することが出来るようになった。
請求項４の発明によれば、排紙トレイに排紙されて載置された被記録体は摩擦力により一枚毎に順次に確実に分離されて除去口から除去位置へ自動的に給紙されて除去され、排出された被記録体が除去手段により破棄等されて無くなって除去されている場合でも、元の大きなファイルから当該ファイルを探し出すことななく、容易な作業で除去されたトナー画像を再形成した被記録体を再排紙して、そのための記憶装置も少容量化となる画像後処理装置を提供することが出来るようになった。
【００３２】
請求項５の発明によれば、排紙トレイを被記録体を載置する位置から除去口の有る除去位置への移動又は除去口の有る除去位置から被記録体を載置する位置への移動が自動的に確実に行なわれ、排出された被記録体が除去手段により破棄等されて無くなって除去されている場合でも、元の大きなファイルから当該ファイルを探し出すことななく、容易な作業で除去されたトナー画像を再形成した被記録体を再排紙して、そのための記憶装置も少容量化となる画像後処理装置を提供することが出来るようになった。
請求項６の発明によれば、排紙トレイを被記録体を載置する位置から除去口の有る除去位置への移動又は除去口の有る除去位置から被記録体を載置する位置への移動が簡単な構造で自動的に確実に行なわれ、排出された被記録体が除去手段により破棄等されて無くなって除去されている場合でも、元の大きなファイルから当該ファイルを探し出すことななく、容易な作業で除去されたトナー画像を再形成した被記録体を再排紙して、そのための記憶装置も少容量化となる画像後処理装置を提供することが出来るようになった。
請求項７の発明によれば、設計的余裕があり比較的に小型である、排出された被記録体が除去手段により破棄等されて無くなって除去されている場合でも、元の大きなファイルから当該ファイルを探し出すことななく、容易な作業で除去されたトナー画像を再形成した被記録体を再排紙して、そのための記憶装置も少容量化となる画像後処理装置を提供することが出来るようになった。
請求項８の発明によれば、排出された被記録体が除去手段により破棄等されて無くなって除去されている場合でも、元の大きなファイルから当該ファイルを探し出すことななく、容易な作業で除去されたトナー画像を再形成した被記録体を再排紙して、そのための記憶装置は更に少容量化となる画像後処理装置を提供することが出来るようになった。
【００３３】
請求項９の発明によれば、排出された被記録体が除去手段により破棄等されて無くなって除去されている場合でも、元の大きなファイルから当該ファイルを探し出すことななく、容易でスムーズで不快感の無い作業で除去されたトナー画像を再形成した被記録体を再排紙して、そのための記憶装置は更に少容量化となる画像後処理装置を提供することが出来るようになった。
請求項１０の発明によれば、排出された被記録体が除去手段により破棄等されて無くなって除去されている場合でも、元の大きなファイルから当該ファイルを探し出すことななく、容易な作業で除去されたトナー画像を再形成した被記録体を再排紙して、そのための記憶装置も更に少容量化となる画像後処理装置を提供することが出来るようになった。
請求項１１の発明によれば、排紙された被記録体が破棄等されて無くなって除去されている場合でも、元の大きなファイルから当該ファイルを探し出すことなく、容易な作業で除去されたトナー画像を再形成した被記録体を再排紙して、そのための記憶装置も少容量化となる画像形成装置を提供することが出来るようになった。
請求項１２の発明によれば、排紙された被記録体が破棄等されて無くなって除去されている場合でも、元の大きなファイルから当該ファイルを探し出すことなく、容易な作業で除去されたトナー画像を再形成した被記録体を再排紙して、そのための記憶装置も少容量化となるネットワークスステムを提供することが出来るようになった。
【図面の簡単な説明】
【図１】本発明の実施の形態例を示す画像後処理装置を説明する説明図である。
【図２】本発明の他の実施の形態例を示す画像後処理装置の主要部を説明する説明図である。
【図３】本発明の実施の形態例を示す画像後処理装置の主要部を説明するブロック図である。
【図４】本発明の実施の形態例を示す画像後処理装置の他の主要部の動作を説明するフローチャートである。
【図５】本発明の実施の形態例を示す画像後処理装置の他の主要部の動作を説明するフローチャートである。
【図６】本発明の他の実施の形態例を示す画像後処理装置の主要部の動作を説明するフローチャートである。
【図７】本発明の他の実施の形態例を示す画像後処理装置の他の主要部の動作を説明するフローチャートである。
【図８】本発明の他の実施の形態例を示す画像後処理装置の主要部の動作を説明するフローチャートである。
【図９】本発明の他の実施の形態例を示す画像後処理装置の他の主要部の動作を説明するフローチャートである。
【図１０】本発明の実施の形態例を示す画像後処理装置及びその画像後処理装置を具備する画像形成装置を説明する説明図である。
【図１１】本発明の実施の形態例を示す画像後処理装置及びその画像後処理装置を具備する画像形成装置並びにその画像後処理装置を具備するネットワークシステムを説明する説明図である。
【符号の説明】
０  画像後処理装置、０ａ  装置本体、
０ｂ  除去口
１  排紙トレイ、１ａ  給紙手段挿入穴、
１ｂ  摩擦パッド、
１ｃ  案内部材
２  排紙トレイ移動手段、２ａ  ステッピングモータ、
２ｂ  駆動歯車、
２ｃ  従動歯車、
２ｄ  タイミングベルト、
２ｅ  送り螺子、
２ｆ  ナット部材
３  給紙手段、３ａ  給紙コロ、
３ｂ  駆動モータ
４  スキャナ
５  表示部
６  再排紙選択入力手段
７  記憶装置
８  比較手段
９  追跡パターン
１０  除去トレイ
１１  操作盤
１２  制御手段
１３  センサ
２０  画像形成装置、２０ａ  装置本体
２１  トナー画像形成手段、２１ａ  搬送ベルト、２１ａ１  最下流ローラ、
２１ｂ  画像形成用のプロセス手段、
２１ｂ１  第１画像ステーション、
２１ｂ２  第２画像ステーション、
２１ｂ３  第３画像ステーション、
２１ｂ４  第４画像ステーション、
２１ｃ  定着器、２１ｃ１  定着ローラ、
２１ｃ２  発熱体、
２１ｃ３  搬送ローラ、
２１ｃ４  加熱定着ベルト、
２１ｃ５  加圧ローラ、
２１ｄ  給紙手段、２１ｄ１  レジストローラ対、
２１ｅ  像担持体、２１ｅ１  シアン感光体ドラム、
２１ｅ２  マゼンタ感光体ドラム、
２１ｅ３  イエロー感光体ドラム、
２１ｅ４  ブラック感光体ドラム、
２１ｆ  帯電手段、２１ｆ１  シアン帯電器、
２１ｆ２  マゼンタ帯電器、
２１ｆ３  イエロー帯電器、
２１ｆ４  ブラック帯電器、
２１ｇ  潜像形成手段、２１ｇ１  シアン光書き込みユニット、
２１ｇ２  マゼンタ光書き込みユニット、
２１ｇ３  イエロー光書き込みユニット、
２１ｇ４  ブラック光書き込みユニット、
２１ｈ  現像手段、２１ｈ１  シアン現像器、
２１ｈ２  マゼンタ現像器、
２１ｈ３  イエロー現像器、
２１ｈ４  ブラック現像器、
２１ｉ  転写手段、２１ｉ１  シアン転写器、
２１ｉ２  マゼンタ転写器、
２１ｉ３  イエロー転写器、
２１ｉ４  ブラック転写器、
２１ｊ  クリーニング手段、２１ｊ１  シアンクリーニング手段、
２１ｊ２  マゼンタクリーニング手段、
２１ｊ３  イエロークリーニング手段、
２１ｊ４  ブラッククリーニング手段、
２１ｋ  排紙装置
３０  ネットワークスステム
３１  ネットワーク
３２  パーソナルコンピュータ
３３  ワークステーション
【図１】
0003927828.tif 000002
【図２】
0003927828.tif 000003
【図３】
0003927828.tif 000004
【図４】
0003927828.tif 000005
【図５】
0003927828.tif 000006
【図６】
0003927828.tif 000007
【図７】
0003927828.tif 000008
【図８】
0003927828.tif 000009
【図９】
0003927828.tif 000010
【図１０】
0003927828.tif 000011
【図１１】
0003927828.tif 000012